(57)【特許請求の範囲】
【請求項１】
本体を含み、前記本体の中には二つの冷蔵空間と一つの保存空間が設けられ、二つの前記冷蔵空間がそれぞれ前記保存空間の左右両側に位置し、前記冷蔵空間と前記保存空間の間には密封と熱伝導の作用を果たせる隔離板が固定され、前記冷蔵空間の中に未開封のワインを冷蔵し保存でき、前記保存空間の中に開封され飲み残されたワインを保存でき、前記隔離板の中には前記保存空間へ開口した昇降空間が設けられ、二つの前記昇降空間において互いから離れた側壁には昇降板が上下にスライドできるように設けられ、前記昇降空間の中には前記昇降板の上下移動を制御できる昇降機構が設けられ、前記昇降板の下側にはワインボトルの口を密封し、ボトル内のワインが酸化しすぎることを防止する密封機構が取り付けられ、
前記本体の底壁の中には上方へ開口した置き空間が設けられ、前記置き空間が前記保存空間と連通しており、前記置き空間の中には前記置き空間の中に入れられたワインボトルを自動的に中心に合わせて固定する挟み機構が設けられ、前記置き空間の下側には従動空間が設けられ、前記従動空間の下側には矩形空間が設けられ、前記矩形空間の中には前記挟み機構を復帰させることのできる制御機構が設けられ、前記本体の上側には密封カバーが固定され、前記密封カバーの中にはモーター空間が設けられ、前記モーター空間の右壁には排気ポンプが固定され、前記排気ポンプによって前記保存空間の中の空気を排出し、前記保存空間の中を真空状態にし、鮮度保持の程度を強めることができることを特徴とする適応性に優れたワイン鮮度保持冷蔵装置。
【請求項２】
前記昇降機構は、前記モーター空間の底壁に固定されたモーターを含み、前記モーターの左側面にはモーター軸が伝動できるように連結され、前記モーター軸の左側面には第一プーリーが固定され、前記保存空間の上側には伝動空間が設けられ、前記伝動空間の左右両壁の間には横ロッドが回転できるように設けられ、前記横ロッドの外周には第二プーリーが固定され、前記伝動空間と前記モーター空間の間には連通空間が連通するように設けられ、前記第二プーリーと前記第一プーリーの間にはベルトが伝動できるように取り付けられ、前記ベルトが前記連通空間を貫通していることを特徴とする請求項１に記載の適応性に優れたワイン鮮度保持冷蔵装置。
【請求項３】
前記横ロッドの外周には二つの第一傘歯車が左右対称に固定され、前記第一傘歯車がそれぞれ前記第二プーリーの両側に位置し、前記昇降空間の底壁にはねじボルトが回転できるように設けられ、前記ねじボルトにおいて上方へ延びた部分が前記昇降板と前記本体の内壁とを貫通し前記伝動空間の中に延びており、前記ねじボルトの頂面には第二傘歯車が固定され、前記第二傘歯車が前記第一傘歯車と噛合しており、前記ねじボルトが前記昇降板とねじ山によって連結され、前記昇降板と前記昇降空間の上下壁の間にはいずれも折りたたみ密封層が固定的に取り付けられていることを特徴とする請求項２に記載の適応性に優れたワイン鮮度保持冷蔵装置。
【請求項４】
前記密封機構はボトル口カバーを含み、前記ボトル口カバーの中には下方へ開口した円柱空間が設けられ、前記円柱空間の頂壁にはボトル口栓が固定され、前記ボトル口栓の外周にはミリカゲル膜が固定的に取り付けられ、前記ボトル口カバーの頂面には支持柱が固定され、前記昇降板の中には下方へ開口した弾性空間が設けられ、前記支持柱が前記弾性空間の内壁にスライドできるように設けられ、前記支持柱の頂面には感知反応ブロックが固定的に設けられ、前記支持柱の頂面と前記弾性空間の頂壁の間には第一ばねが固定的に取り付けられ、前記弾性空間の頂壁の中には感知反応スイッチが固定的に取り付けられ、前記感知反応スイッチの底面が前記弾性空間の中に位置し、前記感知反応スイッチが前記モーターと通電できるように連結されていることを特徴とする請求項３に記載の適応性に優れたワイン鮮度保持冷蔵装置。
【請求項５】
前記挟み機構は前記置き空間の底壁にスライドできるように設けられた二つの挟みブロックを含み、二つの前記挟みブロックにおいて互いに近接する側面にはいずれもクッションが固定され、前記置き空間の左右両側にはいずれもスライド空間が連通するように設けられ、前記スライド空間の内壁にはスライド柱がスライドできるように設けられ、前記スライド柱において前記置き空間の方向へ延びた部分が前記置き空間の中に入って前記挟みブロックと固定的に連結され、前記スライド柱のもう片側面と前記スライド空間の内壁の間には第二ばねが固定的に取り付けられ、前記スライド柱の中にはいずれも下方へ開口した位置制限穴が設けられ、前記置き空間が前記従動空間と連通しており、前記従動空間が前記スライド空間と連通しており、前記従動空間の両側壁には挿しピンがスライドできるように設けられ、前記挿しピンにおいて上方へ延びた部分が前記スライド空間の中に延びて前記位置制限穴の中に挿入でき、前記挿しピンの底面と前記従動空間の底壁との間には第三ばねが固定的に取り付けられ、二つの前記挿しピンの間には連結ロッドが固定的に設けられ、前記連結ロッドの頂面には押しロッドが固定され、前記押しロッドにおいて上方へ延びた部分が前記置き空間の中入り、前記押しロッドの頂面には押しブロックが固定的に設けられ、前記押しブロックの底面と前記置き空間の底壁には第四ばねが固定的に取り付けられていることを特徴とする請求項１に記載の適応性に優れたワイン鮮度保持冷蔵装置。
【請求項６】
前記制御機構は前記矩形空間の後壁に回転できるように設けられた直ロッドを含み、前記直ロッドの外周にはリールが固定され、前記直ロッドにおいて前方へ延びた部分が前記本体の内壁を貫通して外部まで延びており、前記直ロッドの前側面には手動回転輪が固定され、前記リールの外周には二つの連結紐が周設され、前記矩形空間の左右両側にはいずれも滑車空間が設けられ、前記滑車空間と前記矩形空間の間には貫穴が連通するように設けられ、前記滑車空間と前記スライド空間の間には狭い穴が連通するように設けられ、前記滑車空間の後壁には二つの滑車が上下対称に且つ回転できるように設けられ、前記連結紐が前記貫穴と前記滑車空間と前記狭い穴を貫通して前記スライド空間の中に延びており、前記連結紐が前記スライド柱と固定的に連結され、前記連結紐が前記滑車の外周に周設されていることを特徴とする請求項５に記載の適応性に優れたワイン鮮度保持冷蔵装置。
【請求項７】
前記モーター空間の右壁には前記排気ポンプが固定され、前記排気ポンプの左側面には吸気管が固定され、前記吸気管が前記本体の内壁を貫通して前記保存空間の中に延びており、前記排気ポンプの頂面には排気管が固定され、前記排気管において上方へ延びた部分が外部まで延びていることを特徴とする請求項１に記載の適応性に優れたワイン鮮度保持冷蔵装置。
【請求項８】
前記本体の後側面には放熱カバーが固定され、前記放熱カバーの中には冷却空間が設けられ、前記冷却空間の底壁には圧縮ポンプが固定され、前記冷却空間の左壁には放熱モジュールが固定され、前記放熱モジュールと前記圧縮ポンプの間には凝縮管と導水管が連通するように設けられ、前記冷却空間と前記冷蔵空間の間には二つの放熱空間が連通するように設けられ、前記放熱空間の内壁には隔離網が固定され、前記放熱モジュールにおいて右方へ延びた部分が前記放熱空間の中に延びており、前記冷却空間の上側には上方へ開口した放熱穴が連通するように設けられていることを特徴とする請求項１に記載の適応性に優れたワイン鮮度保持冷蔵装置。
【請求項９】
二つの前記冷蔵空間の両側内壁には二つの支持板が上下対称に固定され、前記支持板の頂面と前記冷蔵空間の底壁にはいずれも置きトレイが固定され、前記本体の前側面には二つの支持ブロックが左右対称に固定され、二つの前記支持ブロックの間には旋転ロッドが回転できるように設けられ、前記旋転ロッドの外周には密封ドアが固定され、前記密封ドアの内壁には密封層が固定的に取り付けられ、前記密封ドアの頂面にはハンドルが固定的に取り付けられていることを特徴とする請求項１に記載の適応性に優れたワイン鮮度保持冷蔵装置。
【発明の詳細な説明】
【技術分野】
【０００１】
本願発明は鮮度保持冷蔵技術分野を取り上げて、具体的には適応性に優れたワイン鮮度保持冷蔵装置である。
【背景技術】
【０００２】
今、生活水準の向上につれ、多くの家庭では、ワインを飲むようになりました。ワインは度数が高く、一本の量も多いから、開けて飲んだ後、残りが多いことはよくある。ワインは一度開けられたら、瓶内のワインが空気と接触し素速く酸化する。しっかりと密封しないと、口当たりが悪くなることはともかく、場合によって変質することもある。一般的にワインを保存することは冷蔵、密封、環境制御などの作業が要るが、ほとんどの冷蔵庫や冷蔵酒キャビネットの棚板の間隔が狭いため、ワインボトルを横に寝かせるしか置くことができない。そのため、すでに開けられたワインが保存される間に漏れてしまい、保存効果が下がる。また、市販の普通のボトル栓は密封効果が良くないから、ワインの鮮度を長時間保持しにくい。そして、保存環境が真空や低圧状態になっていないと、すでに開けられたワインが変質しやすい。
【先行技術文献】
【特許文献】
【０００３】
【特許文献１】中国特許出願公開第１０８４４３１０９号明細書
【発明の概要】
【発明が解決しようとする課題】
【０００４】
本願発明の目的は適応性に優れたワイン鮮度保持冷蔵装置を提供し、それは上記の現在の技術中の問題を解決できる。
【課題を解決するための手段】
【０００５】
上記の課題を解決するため、本願発明は以下の技術プランを採用する：本願発明の適応性に優れたワイン鮮度保持冷蔵装置は、本体を含み、前記本体の中には二つの冷蔵空間と一つの保存空間が設けられ、二つの前記冷蔵空間がそれぞれ前記保存空間の左右両側に位置し、前記冷蔵空間と前記保存空間の間には密封と熱伝導の作用を果たせる隔離板が固定され、前記冷蔵空間の中に未開封のワインを冷蔵し保存でき、前記保存空間の中に開封され飲み残されたワインを保存でき、前記隔離板の中には前記保存空間へ開口した昇降空間が設けられ、二つの前記昇降空間において互いから離れた側壁には昇降板が上下にスライドできるように設けられ、前記昇降空間の中には前記昇降板の上下移動を制御できる昇降機構が設けられ、前記昇降板の下側にはワインボトルの口を密封し、ボトル内のワインが酸化しすぎることを防止する密封機構が取り付けられ、前記本体の底壁の中には上方へ開口した置き空間が設けられ、前記置き空間が前記保存空間と連通しており、前記置き空間の中には前記置き空間の中に入れられたワインボトルを自動的に中心に合わせて固定する挟み機構が設けられ、前記置き空間の下側には従動空間が設けられ、前記従動空間の下側には矩形空間が設けられ、前記矩形空間の中には前記挟み機構を復帰させることのできる制御機構が設けられ、前記本体の上側には密封カバーが固定され、前記密封カバーの中にはモーター空間が設けられ、前記モーター空間の右壁には排気ポンプが固定され、前記排気ポンプによって前記保存空間の中の空気を排出し、前記保存空間の中を真空状態にし、鮮度保持の程度を強めることができる。
【０００６】
前記昇降機構は、前記モーター空間の底壁に固定されたモーターを含み、前記モーターの左側面にはモーター軸が伝動できるように連結され、前記モーター軸の左側面には第一プーリーが固定され、前記保存空間の上側には伝動空間が設けられ、前記伝動空間の左右両壁の間には横ロッドが回転できるように設けられ、前記横ロッドの外周には第二プーリーが固定され、前記伝動空間と前記モーター空間の間には連通空間が連通するように設けられ、前記第二プーリーと前記第一プーリーの間にはベルトが伝動できるように取り付けられ、前記ベルトが前記連通空間を貫通している。
【０００７】
前記横ロッドの外周には二つの第一傘歯車が左右対称に固定され、前記第一傘歯車がそれぞれ前記第二プーリーの両側に位置し、前記昇降空間の底壁にはねじボルトが回転できるように設けられ、前記ねじボルトにおいて上方へ延びた部分が前記昇降板と前記本体の内壁とを貫通し前記伝動空間の中に延びており、前記ねじボルトの頂面には第二傘歯車が固定され、前記第二傘歯車が前記第一傘歯車と噛合しており、前記ねじボルトが前記昇降板とねじ山によって連結され、前記昇降板と前記昇降空間の上下壁の間にはいずれも折りたたみ密封層が固定的に取り付けられている。
【０００８】
前記密封機構はボトル口カバーを含み、前記ボトル口カバーの中には下方へ開口した円柱空間が設けられ、前記円柱空間の頂壁にはボトル口栓が固定され、前記ボトル口栓の外周にはミリカゲル膜が固定的に取り付けられ、前記ボトル口カバーの頂面には支持柱が固定され、前記昇降板の中には下方へ開口した弾性空間が設けられ、前記支持柱が前記弾性空間の内壁にスライドできるように設けられ、前記支持柱の頂面には感知反応ブロックが固定的に設けられ、前記支持柱の頂面と前記弾性空間の頂壁の間には第一ばねが固定的に取り付けられ、前記弾性空間の頂壁の中には感知反応スイッチが固定的に取り付けられ、前記感知反応スイッチの底面が前記弾性空間の中に位置し、前記感知反応スイッチが前記モーターと通電できるように連結されている。
【０００９】
前記挟み機構は前記置き空間の底壁にスライドできるように設けられた二つの挟みブロックを含み、二つの前記挟みブロックにおいて互いに近接する側面にはいずれもクッションが固定され、前記置き空間の左右両側にはいずれもスライド空間が連通するように設けられ、前記スライド空間の内壁にはスライド柱がスライドできるように設けられ、前記スライド柱において前記置き空間の方向へ延びた部分が前記置き空間の中に入って前記挟みブロックと固定的に連結され、前記スライド柱のもう片側面と前記スライド空間の内壁の間には第二ばねが固定的に取り付けられ、前記スライド柱の中にはいずれも下方へ開口した位置制限穴が設けられ、前記置き空間が前記従動空間と連通しており、前記従動空間が前記スライド空間と連通しており、前記従動空間の両側壁には挿しピンがスライドできるように設けられ、前記挿しピンにおいて上方へ延びた部分が前記スライド空間の中に延びて前記位置制限穴の中に挿入でき、前記挿しピンの底面と前記従動空間の底壁との間には第三ばねが固定的に取り付けられ、二つの前記挿しピンの間には連結ロッドが固定的に設けられ、前記連結ロッドの頂面には押しロッドが固定され、前記押しロッドにおいて上方へ延びた部分が前記置き空間の中入り、前記押しロッドの頂面には押しブロックが固定的に設けられ、前記押しブロックの底面と前記置き空間の底壁には第四ばねが固定的に取り付けられている。
【００１０】
前記制御機構は前記矩形空間の後壁に回転できるように設けられた直ロッドを含み、前記直ロッドの外周にはリールが固定され、前記直ロッドにおいて前方へ延びた部分が前記本体の内壁を貫通して外部まで延びており、前記直ロッドの前側面には手動回転輪が固定され、前記リールの外周には二つの連結紐が周設され、前記矩形空間の左右両側にはいずれも滑車空間が設けられ、前記滑車空間と前記矩形空間の間には貫穴が連通するように設けられ、前記滑車空間と前記スライド空間の間には狭い穴が連通するように設けられ、前記滑車空間の後壁には二つの滑車が上下対称に且つ回転できるように設けられ、前記連結紐が前記貫穴と前記滑車空間と前記狭い穴を貫通して前記スライド空間の中に延びており、前記連結紐が前記スライド柱と固定的に連結され、前記連結紐が前記滑車の外周に周設されている。
【００１１】
前記モーター空間の右壁には前記排気ポンプが固定され、前記排気ポンプの左側面には吸気管が固定され、前記吸気管が前記本体の内壁を貫通して前記保存空間の中に延びており、前記排気ポンプの頂面には排気管が固定され、前記排気管において上方へ延びた部分が外部まで延びている。
【００１２】
前記本体の後側面には放熱カバーが固定され、前記放熱カバーの中には冷却空間が設けられ、前記冷却空間の底壁には圧縮ポンプが固定され、前記冷却空間の左壁には放熱モジュールが固定され、前記放熱モジュールと前記圧縮ポンプの間には凝縮管と導水管が連通するように設けられ、前記冷却空間と前記冷蔵空間の間には二つの放熱空間が連通するように設けられ、前記放熱空間の内壁には隔離網が固定され、前記放熱モジュールにおいて右方へ延びた部分が前記放熱空間の中に延びており、前記冷却空間の上側には上方へ開口した放熱穴が連通するように設けられている。
【００１３】
二つの前記冷蔵空間の両側内壁には二つの支持板が上下対称に固定され、前記支持板の頂面と前記冷蔵空間の底壁にはいずれも置きトレイが固定され、前記本体の前側面には二つの支持ブロックが左右対称に固定され、二つの前記支持ブロックの間には旋転ロッドが回転できるように設けられ、前記旋転ロッドの外周には密封ドアが固定され、前記密封ドアの内壁には密封層が固定的に取り付けられ、前記密封ドアの頂面にはハンドルが固定的に取り付けられている。
【発明の効果】
【００１４】
本願発明は未開封のワインを冷蔵することができるうえ、開封されたワインを冷蔵し鮮度を保持でき、開封されたワインボトルの中のワインの酸化速度を有効に緩め、また、密封効果を強め、開封されたワインの保存期間を延ばし、口当たりが悪くなることなく、飲み残したワインをきちんと保存し、食物の浪費を有効に防止し、支出を減らし、昇降機構と密封機構は自動的に異なる種類のワインボトルの高さを識別し、ボトルの口を密封でき、挟み機構と制御機構は自動的に異なる種類のワインボトルの直径・幅を識別し、中心に合わせて挟んで固定でき、ボトルの口への密封作業に有利であり、自動化程度が高く、人力作業の不確実性を下げ、密封性を上げ、保存期間を延ばすことができる。
【図面の簡単な説明】
【００１５】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の内部全体構成略図
【図２】図２は図１のＥ―Ｅ方向の構成略図
【図３】図３は図１のＡの拡大略図
【図４】図４は図１のＢの拡大略図
【図５】図５は図１のＣの拡大略図
【図６】図６は図５のＦの拡大略図
【図７】図７は図１のＤの拡大略図
【発明を実施するための形態】
【００１７】
図１〜７を参照し、本願発明の適応性に優れたワイン鮮度保持冷蔵装置は、本体１１を含み、前記本体１１の中には二つの冷蔵空間１２と一つの保存空間２９が設けられ、二つの前記冷蔵空間１２がそれぞれ前記保存空間２９の左右両側に位置し、前記冷蔵空間１２と前記保存空間２９の間には密封と熱伝導の作用を果たせる隔離板３０が固定され、前記冷蔵空間１２の中に未開封のワインを冷蔵し保存でき、前記保存空間２９の中に開封され飲み残されたワインを保存でき、前記隔離板３０の中には前記保存空間２９へ開口した昇降空間２７が設けられ、二つの前記昇降空間２７において互いから離れた側壁には昇降板２５が上下にスライドできるように設けられ、前記昇降空間２７の中には前記昇降板２５の上下移動を制御できる昇降機構１０１が設けられ、前記昇降板２５の下側にはワインボトルの口を密封し、ボトル内のワインが酸化しすぎることを防止する密封機構１０２が取り付けられ、前記本体１１の底壁の中には上方へ開口した置き空間６２が設けられ、前記置き空間６２が前記保存空間２９と連通しており、前記置き空間６２の中には前記置き空間６２の中に入れられたワインボトルを自動的に中心に合わせて固定する挟み機構１０３が設けられ、前記置き空間６２の下側には従動空間７３が設けられ、前記従動空間７３の下側には矩形空間８３が設けられ、前記矩形空間８３の中には前記挟み機構１０３を復帰させることのできる制御機構１０４が設けられ、前記本体１１の上側には密封カバー１６が固定され、前記密封カバー１６の中にはモーター空間１７が設けられ、前記モーター空間１７の右壁には排気ポンプ１８が固定され、前記排気ポンプ１８によって前記保存空間２９の中の空気を排出し、前記保存空間２９の中を真空状態にし、鮮度保持の程度を強めることができる。
【００１８】
前記昇降機構１０１は、前記モーター空間１７の底壁に固定されたモーター２２を含み、前記モーター２２の左側面にはモーター軸４６が伝動できるように連結され、前記モーター軸４６の左側面には第一プーリー４７が固定され、前記保存空間２９の上側には伝動空間２３が設けられ、前記伝動空間２３の左右両壁の間には横ロッド５１が回転できるように設けられ、前記横ロッド５１の外周には第二プーリー５０が固定され、前記伝動空間２３と前記モーター空間１７の間には連通空間４９が連通するように設けられ、前記第二プーリー５０と前記第一プーリー４７の間にはベルト４８が伝動できるように取り付けられ、前記ベルト４８が前記連通空間４９を貫通しており、
前記モーター２２の作動により、前記モーター軸４６が前記ベルト４８を伝動させ、前記横ロッド５１を回転させることができる。
【００１９】
前記横ロッド５１の外周には二つの第一傘歯車５２が左右対称に固定され、前記第一傘歯車５２がそれぞれ前記第二プーリー５０の両側に位置し、前記昇降空間２７の底壁にはねじボルト２４が回転できるように設けられ、前記ねじボルト２４において上方へ延びた部分が前記昇降板２５と前記本体１１の内壁とを貫通し前記伝動空間２３の中に延びており、前記ねじボルト２４の頂面には第二傘歯車５３が固定され、前記第二傘歯車５３が前記第一傘歯車５２と噛合しており、前記ねじボルト２４が前記昇降板２５とねじ山によって連結され、前記昇降板２５と前記昇降空間２７の上下壁の間にはいずれも折りたたみ密封層２６が固定的に取り付けられ、
前記横ロッド５１の回転によって、前記ねじボルト２４が回転し、前記昇降板２５を上下に移動させることができ、前記折りたたみ密封層２６によって前記昇降空間２７と前記保存空間２９を隔てることができる。
【００２０】
前記密封機構１０２はボトル口カバー５８を含み、前記ボトル口カバー５８の中には下方へ開口した円柱空間５９が設けられ、前記円柱空間５９の頂壁にはボトル口栓６０が固定され、前記ボトル口栓６０の外周にはミリカゲル膜６１が固定的に取り付けられ、前記ボトル口カバー５８の頂面には支持柱５７が固定され、前記昇降板２５の中には下方へ開口した弾性空間５４が設けられ、前記支持柱５７が前記弾性空間５４の内壁にスライドできるように設けられ、前記支持柱５７の頂面には感知反応ブロック５６が固定的に設けられ、前記支持柱５７の頂面と前記弾性空間５４の頂壁の間には第一ばね５５が固定的に取り付けられ、前記弾性空間５４の頂壁の中には感知反応スイッチ２１が固定的に取り付けられ、前記感知反応スイッチ２１の底面が前記弾性空間５４の中に位置し、前記感知反応スイッチが前記モーター２２と通電できるように連結され、
前記昇降板２５が下方へ移動することで、前記ボトル口カバー５８がワインボトルの口をカバーし、前記ボトル口栓６０と前記シリカゲル膜６１がワインボトルの口の中に塞がり、前記昇降板２５が引き続き下方へ移動するとき、密封効果を強めることができ、前記ボトル口栓６０が完全にワインボトルの口の中に入ったとき、前記支持柱５７が上方へ移動し、前記感知反応ブロック５６が前記感知反応スイッチ２１と接触するとき、前記モーター２２が止まる。
【００２１】
前記挟み機構１０３は前記置き空間６２の底壁にスライドできるように設けられた二つの挟みブロック６５を含み、二つの前記挟みブロック６５において互いに近接する側面にはいずれもクッション５４が固定され、前記置き空間６２の左右両側にはいずれもスライド空間６７が連通するように設けられ、前記スライド空間６７の内壁にはスライド柱６６がスライドできるように設けられ、前記スライド柱６６において前記置き空間６２の方向へ延びた部分が前記置き空間６２の中に入って前記挟みブロック６５と固定的に連結され、前記スライド柱６６のもう片側面と前記スライド空間６７の内壁の間には第二ばね６８が固定的に取り付けられ、前記スライド柱６６の中にはいずれも下方へ開口した位置制限穴８０が設けられ、前記置き空間６２が前記従動空間７３と連通しており、前記従動空間７３が前記スライド空間６７と連通しており、前記従動空間７３の両側壁には挿しピン７６がスライドできるように設けられ、前記挿しピン７６において上方へ延びた部分が前記スライド空間６７の中に延びて前記位置制限穴８０の中に挿入でき、前記挿しピン７６の底面と前記従動空間７３の底壁との間には第三ばね７５が固定的に取り付けられ、二つの前記挿しピン７６の間には連結ロッド７４が固定的に設けられ、前記連結ロッド７４の頂面には押しロッド７７が固定され、前記押しロッド７７において上方へ延びた部分が前記置き空間６２の中入り、前記押しロッド７７の頂面には押しブロック６３が固定的に設けられ、前記押しブロック６３の底面と前記置き空間６２の底壁には第四ばね７８が固定的に取り付けられ、
ワインボトルが前記置き空間６２の内部に置かれたとき、前記押しブロック６３が前記押しロッド７７を下方へ押して移動させ、これによって前記連結ロッド７４が前記挿しピン７６を下方へ連動させ、これによって二つの前記スライド空間６７が前記挟みブロック６５を互いに近づくように連動させ、これによって前記挟みブロック６５が前記クッション６４を駆動し、前記クッション６４が中心に合わせてワインボトルを挟んで固定する。
【００２２】
前記制御機構１０４は前記矩形空間８３の後壁に回転できるように設けられた直ロッド４０を含み、前記直ロッド４０の外周にはリール８４が固定され、前記直ロッド４０において前方へ延びた部分が前記本体１１の内壁を貫通して外部まで延びており、前記直ロッド４０の前側面には手動回転輪３９が固定され、前記リール８４の外周には二つの連結紐７２が周設され、前記矩形空間８３の左右両側にはいずれも滑車空間３１が設けられ、前記滑車空間３１と前記矩形空間８３の間には貫穴８２が連通するように設けられ、前記滑車空間３１と前記スライド空間６７の間には狭い穴６９が連通するように設けられ、前記滑車空間３１の後壁には二つの滑車７１が上下対称に且つ回転できるように設けられ、前記連結紐７２が前記貫穴８２と前記滑車空間３１と前記狭い穴６９を貫通して前記スライド空間６７の中に延びており、前記連結紐７２が前記スライド柱６６と固定的に連結され、前記連結紐７２が前記滑車７１の外周に周設され、
前記保存空間２９の中のワインボトルが取り出されたとき、手動で前記手動回転輪３９を回転させることで、前記直ロッド４０が前記リール８４を回転させることができ、これによって前記連結紐７２が前記スライド柱６６を前記滑車空間３１の方向へ引いてスライドさせることができ、これによって前記挿しピン７６が前記位置制限穴８０の中に挿入されて改めて位置を制限することができる。
【００２３】
前記モーター空間１７の右壁には前記排気ポンプ１８が固定され、前記排気ポンプ１８の左側面には吸気管２０が固定され、前記吸気管２０が前記本体１１の内壁を貫通して前記保存空間２９の中に延びており、前記排気ポンプ１８の頂面には排気管１９が固定され、前記排気管１９において上方へ延びた部分が外部まで延びており、
前記排気ポンプ１８によって前記保存空間２９内の空気を外部まで排出でき、これによって前記保存空間２９を低圧状態にし、前記保存空間２９内の酸化効果を弱める。
【００２４】
前記本体１１の後側面には放熱カバー３４が固定され、前記放熱カバー３４の中には冷却空間３７が設けられ、前記冷却空間３７の底壁には圧縮ポンプ３８が固定され、前記冷却空間３７の左壁には放熱モジュール３２が固定され、前記放熱モジュール３２と前記圧縮ポンプ３８の間には凝縮管３５と導水管３６が連通するように設けられ、前記冷却空間３７と前記冷蔵空間１２の間には二つの放熱空間２８が連通するように設けられ、前記放熱空間２８の内壁には隔離網１３が固定され、前記放熱モジュール３２において右方へ延びた部分が前記放熱空間２８の中に延びており、前記冷却空間３７の上側には上方へ開口した放熱穴３３が連通するように設けられ、
前記圧縮ポンプ３８の作動により、前記放熱モジュール３２が前記冷蔵空間１２の内部空間を放熱させて温度を制限し、冷蔵効果を果たすことができる。
【００２５】
二つの前記冷蔵空間１２の両側内壁には二つの支持板１５が上下対称に固定され、前記支持板１５の頂面と前記冷蔵空間１２の底壁にはいずれも置きトレイ１４が固定され、前記本体１１の前側面には二つの支持ブロック４１が左右対称に固定され、二つの前記支持ブロック４１の間には旋転ロッド４２が回転できるように設けられ、前記旋転ロッド４２の外周には密封ドア４３が固定され、前記密封ドア４３の内壁には密封層４５が固定的に取り付けられ、前記密封ドア４３の頂面にはハンドル４４が固定的に取り付けられ、
前記置きトレイ１４によって未開封のワインを置いて冷蔵することができ、前記密封ドア４３は密封作用を果たせる。
【００２６】
使用時に、モーター２２の作動により、モーター軸４６がベルト４８を伝動させ、横ロッド５１を回転させることができ、横ロッド５１の回転によって、ねじボルト２４が回転し、昇降板２５を上下に移動させることができ、折りたたみ密封層２６によって昇降空間２７と保存空間２９を隔てることができ、昇降板２５が下方へ移動することで、ボトル口カバー５８がワインボトルの口をカバーし、ボトル口栓６０とシリカゲル膜６１がワインボトルの口の中に塞がり、昇降板２５が引き続き下方へ移動するとき、密封効果を強めることができ、ボトル口栓６０が完全にワインボトルの口の中に入ったとき、支持柱５７が上方へ移動し、感知反応ブロック５６が感知反応スイッチ２１と接触するとき、モーター２２が止まり、ワインボトルが置き空間６２の内部に置かれたとき、押しブロック６３が押しロッド７７を下方へ押して移動させ、これによって連結ロッド７４が挿しピン７６を下方へ連動させ、これによって二つのスライド空間６７が挟みブロック６５を互いに近づくように連動させ、これによって挟みブロック６５がクッション６４を駆動し、クッション６４が中心に合わせてワインボトルを挟んで固定し、保存空間２９の中のワインボトルが取り出されたとき、手動で手動回転輪３９を回転させることで、直ロッド４０がリール８４を回転させることができ、これによって連結紐７２がスライド柱６６を滑車空間３１の方向へ引いてスライドさせることができ、これによって挿しピン７６が位置制限穴８０の中に挿入されて改めて位置を制限することができ、排気ポンプ１８によって保存空間２９内の空気を外部まで排出でき、これによって保存空間２９を低圧状態にし、保存空間２９内の酸化効果を弱め、圧縮ポンプ３８の作動により、放熱モジュール３２が冷蔵空間１２の内部空間を放熱させて温度を制限し、冷蔵効果を果たすことができ、置きトレイ１４によって未開封のワインを置いて冷蔵することができ、密封ドア４３は密封作用を果たせる。
【００２７】
本分野の技術者が明確できるのは、本願発明の総体精神や発想から離脱しない場合で、以上の実施例に各種な変形ができ、それらの変形がすべて本願発明の保護範囲にある。本願発明の保護方案は本願発明の権利要求書を標準とすべきである。
【要約】
【課題】本願発明は適応性に優れたワイン鮮度保持冷蔵装置を開示した。
【解決手段】
本体を含み、前記本体の中には二つの冷蔵空間と一つの保存空間が設けられ、二つの前記冷蔵空間がそれぞれ前記保存空間の左右両側に位置し、前記冷蔵空間と前記保存空間の間には密封と熱伝導の作用を果たせる隔離板が固定され、前記冷蔵空間の中に未開封のワインを冷蔵し保存でき、前記保存空間の中に開封され飲み残されたワインを保存でき、前記隔離板の中には前記保存空間へ開口した昇降空間が設けられ、二つの前記昇降空間において互いから離れた側壁には昇降板が上下にスライドできるように設けられ、前記昇降空間の中には前記昇降板の上下移動を制御できる昇降機構が設けられている。
【選択図】図１【図１】
0006808136.tif 000002
【図２】
0006808136.tif 000003
【図３】
0006808136.tif 000004
【図４】
0006808136.tif 000005
【図５】
0006808136.tif 000006
【図６】
0006808136.tif 000007
【図７】
0006808136.tif 000008